(57)【特許請求の範囲】
【請求項１】
養蜂箱に巣門と通気口とを備えた養蜂箱本体と該養蜂箱本体との開閉を自在にした養蜂箱蓋とから成る養蜂箱内に収納する巣枠が軽量な木製合板若しくは合成樹脂板から形成され、かつ該巣枠が少なくとも１つから構成される簡易小型式養蜂箱において、前記簡易小型式養蜂箱を土床に固定するのにコ字状に形成した養蜂箱固定具を用いて養蜂箱本体を土中に固定することを特徴とする簡易小型式養蜂箱。
【請求項２】
前項の簡易小型式養蜂箱において、養蜂箱本体の搬送時に養蜂箱固定具を土中から引き抜き、養蜂箱を数個連ねて締結バンドにて連結して搬送する請求項１記載の簡易小型式養蜂箱。
【発明の詳細な説明】
【０００１】
【発明の属する技術分野】
本発明は蜜蜂の巣箱として使用されている養蜂箱に関するが、詳しくはコンパクトに小型化すると共に養蜂箱固定具を取り付けて成る簡易小型式の養蜂箱に関するものである。
【０００２】
【従来の技術】
従来から一般的に使用されている養蜂箱における巣門の開閉は可動式の扉を上下に移動して行っていた。すなわち、下側の巣門と上側の通気口との間を相互に開閉させる可動式扉を使用するものである。この従来方式では、扉の作動が円滑に可動させることが困難であるばかりか持ち運びや車両運搬中に扉が開き、中の蜂が外に飛び出してしまうなど、多くの欠点があった。とくに最近蜜蜂がハウス用の交配に用いられるようになったために養蜂箱の移動運搬が頻繁となり、その不便さが目立ち何らかの解決策が求められていた。
【０００３】
例えば、図８に示すように実開平６−２３４４６号の養蜂箱が開示されている。この養蜂箱は養蜂箱に巣門と通気口とを備えた養蜂箱本体と該養蜂箱本体との開閉を自在にした養蜂箱蓋とから成る養蜂箱において、前記養蜂箱本体の通気口に手動操作用の作動ツマミを具備した回転自在の開閉蓋を取付けかつ作動ツマミを係止するストッパーを付設し、更に前記養蜂箱蓋の隅部に餌補給口を設けかつ該餌補給口に開閉自在のゴム蓋を付設して成ることを特徴とする養蜂箱が開示されている。すなわち、58は養蜂箱蓋であり一ケ所隅部に餌を補給するための餌補給口が穴設されているおり、更にこの餌補給口59の内側は網張りされており表面には円形状のゴム蓋60が付設されている。なお、61はゴム蓋止めでありゴム蓋止め11によってゴム蓋60は上下自在に操作することができるので、ワンタッチ餌補給口59から餌を注入することができる。
【０００４】
更に図６と図７に示すように特開平９−２２４５２０号の簡易式養蜂箱が開示されている。この養蜂箱は、養蜂箱に巣門と通気口とを備えた養蜂箱本体と該養蜂箱本体との開閉を自在にした養蜂箱蓋とから成る養蜂箱において、前記養蜂箱本体の枠素材を軽量な木製合板若しくは合成樹脂板から形成されかつ小型化にしたことを特徴とする簡易式養蜂箱の提供にあり、また前記養蜂箱本体の底部に上下作動自在な支持具を取付け更に前記養蜂箱本体の支持具後部を前部より下げて給餌時の外部流出を防止する簡易式養蜂箱である。すなわち、この簡易式養蜂箱は軽量な木製の合板若しくは合成樹脂素材を用いて箱状に加工されており、その一側面（前方）には巣門３７と通気口３２が形成されている。巣門３７は下段中央部に細長状に穴設されており通気口３２はその上方中央部に円形状に穴設されている。また、この通気口３２には網張り４０されている。３３は通気口３２の開閉蓋であり木製合板若しくは合成樹脂材を円形状に形成し、その表面には開閉蓋３３を手動操作するための作動ツマミ３４が取付けてある。また、この開閉蓋３３は巣門を開閉する機能も有している。３５は開閉蓋３３を通気口３２に取付けたための支軸ネジであり、この支軸ネジ３５を軸心にして開閉蓋３３が回転自在となるように構成されている。３６は開閉蓋３３を一定の位置で係止させるためのストッパーであり、作動ツマミ３４が係止されるように構成されている。なお、４３及び４４は、養蜂箱本体３１の枠板３９底部に取付けられている支持具であり、支軸ネジ４５、４６を軸心にして上下作動が自在になるように構成されている。また、支持具13は１枚の単板であるが支持具４４は２枚の複板で構成されており、一方が脚立式に開閉できるようになっている。この支持具４３、４４の下段開閉によって養蜂箱本体３１の使用時は地面上に置くことができ、不使用時には箱体にセットさせることができまる。
【０００５】
このように構成されている従来方法の養蜂箱は、ある程度簡易式になっているが取扱いや操作面において多くの問題がある。
【０００６】
【発明が解決しようとする課題】
本発明は、このような従来方式の問題点をすべて解決しようとして開発されたものである。すなわち、本発明が解決しようとする課題は従来の大型養蜂箱を簡易化するとともに小型化しようとするところにある。
【０００７】
【課題を解決する手段】
本発明は上記の如き課題を解決するために開発したものであって、養蜂箱に巣門と通気口とを備えた養蜂箱本体と該養蜂箱本体との開閉を自在にした養蜂箱蓋とから成る養蜂箱内に収納する巣枠が軽量な木製合板若しくは合成樹脂板から形成されかつ該巣枠が少なくとも１つから構成される簡易小型式養蜂箱において、前記簡易小型式養蜂箱を土床に固定するのにコ字状に形成した養蜂箱固定具を用いて養蜂箱本体を土中に固定することを特徴とする簡易小型式養蜂箱の提供にあり、また前記の簡易小型式養蜂箱において養蜂箱本体の搬送時に養蜂箱固定具を土中から引き抜き養蜂箱を数個連ねて締結バンドにて連結して搬送する簡易小型式養蜂箱の提供にある。
【０００８】
【発明の実施の形態】
本発明の実施形態は、養蜂箱に巣門と通気口とを備えた養蜂箱本体と該養蜂箱本体との開閉を自在にした養蜂箱蓋とから成る養蜂箱内に収納する巣枠が軽量な木製合板若しくは合成樹脂板から形成され、かつ該巣枠が少なくとも１つから構成される簡易小型式養蜂箱において、前記簡易小型式養蜂箱を土床に固定するのにコ字状に形成した養蜂箱固定具を用いて養蜂箱本体を土中に固定することを特徴とする簡易小型式養蜂箱であり、また前記簡易小型式養蜂箱において養蜂箱本体の搬送時に養蜂箱固定具を土中から引き抜き養蜂箱を数個連ねて締結バンドにて連結して搬送する簡易小型式養蜂箱であるから、従来方法の養蜂箱よりも簡易化かつ小型化することができる。特に、コンクリート床や板床以外の土床であっても簡単容易に養蜂箱を固定することができるとともに、手や自動車などによって持ち運びや運搬には最適である。
【００１０】
【実施例】
以下、図面に従って本発明の実施例について説明する。
図１から図４は、本発明の簡易小型式養蜂箱を示したものである。図中１は養蜂箱本体、２、１６は巣箱側板、３、１１、１７補強材、４は巣箱表面板、５、１２は通気口、６は巣門、７は開閉蓋、８、１３は網張り、９は止めネジ、１０は巣箱裏面板、１４は底板、１５は枠補強クギ、１８は巣枠、１９は養蜂箱蓋、２０は餌補給口、２１はゴム蓋、２２は蓋保持板、Ａは養蜂箱固定具、Ｐは土床、Ｓは締結バンド、Ｗは搬送セットである。
【００１１】
この養蜂箱本体１は、図３の分解図に示すとおり養蜂箱の巣箱側板３の両側に巣内６と通気口５を有する巣箱表面板２及び通気口１２を有する巣箱裏面板１０を一体形成して底板１４に固着されているとともに、この該養蜂箱内に前記の巣枠１８を１本収納しかつ巣箱側板１６をネジ止めして成る養蜂箱本体１を設ける。この養蜂箱本体１の上面部に餌補給口２０を有する養蜂箱蓋１９を装着かつ着脱自在にして成る養蜂箱である。このように構成される簡易小型式の養蜂箱は、図１に示すようにコ字状に形成されている養蜂箱固定具Ａを介して土床Ｐに養蜂箱本体１を固定させることができる。
【００１２】
なお、図５は本発明から成る簡易小型式の養蜂箱を数個連ねて締結バンド５にて連結すれば搬送セットＷできるので、そのまま持ちはこぶにには簡便である。
【００１３】
【発明の効果】
本発明は、養蜂箱に巣門と通気口とを備えた養蜂箱本体と該養蜂箱本体との開閉を自在にした養蜂箱蓋とから成る養蜂箱内に収納する巣枠が軽量な木製合板若しくは合成樹脂板から形成され、かつ該巣枠が少なくとも１つから構成される簡易小型式養蜂箱において、前記簡易小型式養蜂箱を土床に固定するのにコ字状に形成した養蜂箱固定具を用いて養蜂箱本体を土中に固定することを特徴とする簡易小型式養蜂箱であり、また前記簡易小型式養蜂箱において養蜂箱本体の搬送時に養蜂箱固定具を土中から引き抜き養蜂箱を数個連ねて締結バンドにて連結して搬送する簡易小型式養蜂箱であるから、従来には全く見られない簡易化されるとともに小型化された養蜂箱を提供することができる。更に、従来の簡易式の養蜂箱と同様に次のような多くの効果を有する。
【００１４】
ア、養蜂箱がコンパクトに小型化されているので、狭い場所でも多くを配設できる。その結果、土地を有効活用することができるので従来の大型式の巣箱よりも高収益が得られる。
イ、巣箱の底部に脚立式の安定装置が付設されているので、湿度を有する地面に直接置くことがない。その結果、従来有していた巣箱の底部の腐敗を防ぐことができると共に長持させることができるので経済性にも富んでいる。
【００１５】
ウ、支持具が脚立方式になっているので、巣箱を安定にセットすることができると共に搬送等には支持具を巣箱にセットすることができる。その結果、取扱い操作が簡単であるばかりか安価に量産加工が可能となる。
【図面の簡単な説明】
【図１】本発明の簡易小型式養蜂箱を示した斜視図。
【図２】図１に示した本発明の一部拡大断面図。
【図３】本発明から成る養蜂箱の組立分解図。
【図４】本発明から成る養蜂箱の組立分解図。
【図５】本発明から成る養蜂箱の運搬方法を示した斜視図。
【図６】従来公知の養蜂箱を示した正面図。
【図７】図６に示した従来養蜂箱の一部拡大断面図。
【図８】従来公知の養蜂箱を示した斜視図。
【符号の説明】
１、３１    養蜂箱本体          ２、１６    巣箱側板
３、１１、３７    補強材        ４    巣箱表面板
５、１２、３２    通気口        ６、３７    巣門
７、３３    開閉蓋              ８、１３    網張り
９    止めネジ                  １０    巣箱裏面板
１４    底板                    １５    枠補強クギ
１８    巣枠                    １９、３８    養蜂箱蓋
２０    補強給口                ２１    ゴム蓋
２２    蓋保持板                ３４    作動ツマミ
３６    ストッパー              ４２    蓋台
４３、４４    支持具            ４５、４６    支持ネジ
５１    養蜂箱本体              ５２    通気口
５３    開閉蓋                  ５４    作動ツマミ
５５    支軸ネジ                ５６    ストッパー
５７    巣門                    ５８    養蜂箱蓋
５９    餌補給口                ６０    ゴム蓋
６１    ゴム蓋止め
Ａ    養蜂箱固定具              Ｐ      土床
Ｓ    締結バンド                Ｗ      搬送セット
【図１】
0004157942.tif 000002
【図２】
0004157942.tif 000003
【図３】
0004157942.tif 000004
【図４】
0004157942.tif 000005
【図５】
0004157942.tif 000006
【図６】
0004157942.tif 000007
【図７】
0004157942.tif 000008
【図８】
0004157942.tif 000009